(57)【要約】【課題】  記録動作中に入力信号が喪失した場合に生じるとされていた、記録データの編集についての誤動作の防止を図ると共に、記録媒体の容量及び装置消費電力の浪費の防止を図る。【解決手段】外部の電子機器から入力されるＡＶ信号について記録媒体に対する記録動作を行っている間に、上記電子機器からの入力信号が喪失したことに応じて、上記記録動作をポーズ状態とすると共に、その以降に入力信号が検出されない状態が所定時間以上継続されたことに応じて上記記録動作を停止する。従来では信号喪失に応じた自動記録停止に応じてタイトル分けが行われてしまったものを、本発明ではポーズすることでこれを回避できる。【選択図】図５
2006107675.tif 000002
【特許請求の範囲】
【請求項１】
外部の電子機器からの少なくともＡＶ信号を入力する信号入力手段と、
記録媒体に対する信号の記録を行う記録手段と、
上記信号入力手段により入力される上記ＡＶ信号について上記記録手段が上記記録媒体に対する記録動作を行っている間に上記信号入力手段による入力信号が喪失したことに応じて、上記記録動作をポーズ状態とするように上記記録手段に対する制御を行うと共に、その以降に上記信号入力手段による入力信号が検出されない状態が所定時間以上継続されたことに応じて上記記録動作を停止するように上記記録手段に対する制御を行う記録制御手段と、
を備えることを特徴とする記録装置。
【請求項２】
操作に応じた操作情報を入力する操作入力手段をさらに備えると共に、
上記記録制御手段は、
上記記録動作を行っている間に上記操作入力手段からの上記記録動作をポーズ状態とするための操作入力が検出されることに応じて、上記記録動作をポーズ状態とするように上記記録手段に対する制御を行うと共に、その以降においても、上記信号入力手段による入力信号が検出されない状態が所定時間以上継続されたことに応じて上記記録動作を停止するように制御を行うようにされる、
ことを特徴とする請求項１に記載の記録装置。
【請求項３】
外部の電子機器から入力されるＡＶ信号について記録媒体に対する記録動作を行っている間に、上記電子機器からの入力信号が喪失したことに応じて、上記記録動作をポーズ状態とすると共に、その以降に入力信号が検出されない状態が所定時間以上継続されたことに応じて上記記録動作を停止することを特徴とする記録制御方法。
【請求項４】
上記記録動作を行っている間に上記記録動作をポーズ状態とするための操作入力が検出されることに応じて上記記録動作をポーズ状態とすると共に、その以降においても、入力信号が検出されない状態が所定時間以上継続されたことに応じて上記記録動作を停止するようにされることを特徴とする請求項３に記載の記録制御方法。
【発明の詳細な説明】
【技術分野】
【０００１】
本発明は記録媒体に対する信号の記録が可能な記録装置、及び記録制御方法に関する。
【背景技術】
【０００２】
従来より、ＤＶＤ（Digital Versatile Disc）に対するＡＶ（Audio Visual）信号の記録再生を行うことができるＤＶＤレコーダと呼ばれる記録再生装置がある。
これらＤＶＤレコーダでは外部入力端子が備えられ、再生装置から再生されるＡＶ信号を入力してこれを例えばＭＰＥＧ方式により圧縮した後ＤＶＤ−ｖｉｄｅｏフォーマットに変換してＤＶＤに記録するようにされる。
【０００３】
また、このようなＤＶＤレコーダおいては、ＤＶＤに対して記録されるＡＶ信号について、タイトルと呼ばれる区切りや、例えば所定時間ごとにチャプタと呼ばれる区切りを設ける等の所謂オーサリングが可能とされたものがある。
【０００４】
ここで、上記タイトルとは、ＤＶＤに収録されるコンテンツデータの区切りを表すべきものとされ、このタイトルごとに、例えば当該ＤＶＤの再生時に表示されるメニュー画面において収録されるコンテンツデータの別が示される等といったことが行われている。
ＤＶＤレコーダにおいては、このようなタイトルを例えば録画動作の停止ごとに自動的に付加するようにされたものがある。これによれば、例えば予約録画等によって記録された１番組分のコンテンツデータごとに自動的にタイトル分けを行うことができ、ユーザは再生時に表示されるメニュー画面において所望のコンテンツデータを容易に探し出すことができる。
また、上記チャプタは、タイトル内におけるさらに詳細な区切りであり、通常は所定時間ごとに自動的に付加するようにされている。このようなチャプタが付加されることにより、ユーザは目的のシーンをより早く探し出すことができる。
【０００５】
なお、関連する従来技術については以下の特許文献を挙げることができる。
【特許文献１】特開平５−１３５４３１号公報
【発明の開示】
【発明が解決しようとする課題】
【０００６】
ところで、ＤＶＤレコーダにおいて外部からのＡＶ信号について記録を行っている間に、例えばプラグ抜け等の事故等によって入力信号が途切れてしまった場合を想定すると、レコーダ側で引き続き録画動作が継続されてしまっては、ＤＶＤの記憶容量の浪費、及び装置の消費電力の浪費が問題となる。
そこで従来では、外部からの入力信号が喪失されたことを検出し、これに応じて録画動作を自動的に停止するようにされたものがある。
【０００７】
但しこの場合、信号喪失は、ユーザの故意的なインターラクションに依るものである場合も考えられる。
例えば、当該ＤＶＤへの録画として、或る一連のデータの記録後、さらに他の一連のデータを追加記録する場合を想定してみると、信号喪失は、前者の記録後から後者の記録開始までの間のものであることが考えられる。
そして、このときのユーザとしては、前者・後者の内容を同一タイトル内のデータとして記録しようとしていたとすると、この間の信号喪失に応じ上記のようにして録画動作が自動的に停止されてしまった場合は、ユーザの意に反してタイトル分けが行われてしまう可能性がある。
つまり、上述もしているようにＤＶＤレコーダでは、録画動作の停止に応じて自動的にタイトル分けを行うようにされたものがあるからである。
【０００８】
また、例えばプラグ抜け等の事故に依る信号喪失の場合であっても、自動的に録画動作が停止されることに変わりはなく、従ってこの場合としてもユーザの意に反してタイトル分けが行われてしまうという問題が生じることになる。
【０００９】
これらのケースのように、ユーザの意に反してタイトル分けが行われてしまうといった事態は、記録データのオーサリング（編集）が意に反して行われてしまうという意味で、一種の誤動作であり、このような誤動作は防止できることが方が好ましい。
【課題を解決するための手段】
【００１０】
そこで、本発明では以上のような問題点に鑑み、記録動作中に入力信号が喪失した場合に、記録媒体の容量及び装置消費電力の浪費の防止を図りつつも、上記のような編集についての誤動作を防止できるようにすることを目的とする。
このために本発明の記録装置は、先ず、外部の電子機器からの少なくともＡＶ信号を入力する信号入力手段と、記録媒体に対する信号の記録を行う記録手段とを備える。
その上で、上記信号入力手段により入力される上記ＡＶ信号について上記記録手段が上記記録媒体に対する記録動作を行っている間に上記信号入力手段による入力信号が喪失したことに応じて、上記記録動作をポーズ状態とするように上記記録手段に対する制御を行うと共に、その以降に上記信号入力手段による入力信号が検出されない状態が所定時間以上継続されたことに応じて上記記録動作を停止するように上記記録手段に対する制御を行う記録制御手段を備えるものである。
【００１１】
また、本発明では記録制御方法として以下のようにすることとした。
すなわち、外部の電子機器から入力されるＡＶ信号について記録媒体に対する記録動作を行っている間に上記電子機器からの入力信号が喪失したことに応じて、上記記録動作をポーズ状態とすると共に、その以降に入力信号が検出されない状態が所定時間以上継続されたことに応じて上記記録動作を停止するようにした。
【００１２】
上記本発明によれば、記録動作中に入力信号が喪失した場合には、先ずは記録動作がポーズ状態（一時停止状態）となるようにされる。これによれば、記録動作が停止されてしまう場合のようにタイトルが分けられてしまうといった事態を防止できる。
また、ポーズ状態であれば、記録動作が停止された場合よりも、記録動作の開始までに要する時間を格段に短いものとすることができる。すなわち、入力信号喪失後、ＡＶ信号を追加記録するとした場合にも、その記録動作をより早急に再開することができる。
また、このように信号喪失に応じて記録動作が自動的にポーズされることで、記録媒体の容量の浪費は防止される。
さらに本発明では、ポーズ状態後、入力信号が検出されない状態が所定時間以上経過することに応じて、記録動作が自動的に停止される。これによれば、記録動作時やポーズ状態にて駆動されていた部分の動作も停止されてその分無駄な消費電力の削減が図られるようになる。
【発明の効果】
【００１３】
このようにして本発明によれば、入力信号が喪失した場合に、自動的に停止ではなくポーズ状態となるようにしたことで、従来で問題となっていたＡＶ信号の編集についての誤動作を効果的に防止できる。また、ポーズ状態を所定時間維持するものとしたことで、ＡＶ信号を追加記録するとした場合にも、その際の記録動作の開始に要する時間を短いものとすることができる。
さらには、信号喪失に応じて記録動作がポーズされることで、記録媒体の容量の浪費を効果的に防止できる。
また、ポーズ状態後、入力信号が検出されない状態が所定時間以上経過することに応じて記録動作が自動的に停止されることで、無駄な消費電力の削減が図られる。
【００１４】
これらのことから、本発明によれば、記録作中に入力信号が喪失した場合の記録媒体の容量及び装置消費電力の浪費の防止を図りつつも、ＡＶ信号の編集についての誤動作を効果的に防止することができる。
【発明を実施するための最良の形態】
【００１５】
以下、発明を実施するための最良の形態（以下実施の形態とする）について説明していく。
図１は、実施の形態の記録装置１を含んで構成することのできる記録システムの概要を示した図である。
先ず、実施の形態の記録装置１としては、ＤＶＤ（Digital Versatile Disc）方式による再生専用メディア、及びライトワンス型やリライタブル型の記録可能メディア（以下これらを総称してＤＶＤメディアとも言う）についての記録再生を行うＤＶＤドライブを備えている。これらＤＶＤメディアは、図示するＤＶＤ装填部２から装填することができる。
そして、この図に示されるように、記録装置１はビデオカメラ９０等の外部映像機器と接続可能とされ、例えばこのビデオカメラ９０で再生されて入力されるＡＶ（Audio Visual）信号をＤＶＤ−ｖｉｄｅｏフォーマットに変換してＤＶＤドライブに装填されたＤＶＤメディアに記録することが可能とされる。
ビデオカメラ９０は、例えば一般ユーザーが映像撮像に用いる装置であり、例えば磁気テープ等に撮像映像信号（及び音声信号）が記録される。ビデオカメラ９０は磁気テープ等に記録された映像信号を再生し、ＮＴＳＣ方式又はＰＡＬ方式等のコンポジットビデオ信号、Ｓ（Separate）−ＶＩＤＥＯ信号、或いはデジタルビデオ信号などの所定のフォーマットの映像信号（及び音声信号）を出力し、記録装置１に供給することができる。
【００１６】
この場合、ビデオカメラ９０からのＡＶ信号の記録は、当該記録装置１とビデオカメラ９０との２者のみで行うことができる。
すなわち、記録装置１の筐体外面には、後述する操作部と表示部から成るユーザインタフェース（Ｉ／Ｆ）部３が設けられ、ユーザはこのユーザＩ／Ｆ部３を介した操作入力を行うことによって記録装置１に対する記録動作の開始や停止等の動作指示を行うことができる。また、ユーザＩ／Ｆ部３に設けられた表示部により記録装置１の動作状態を確認するといったことも可能とされている。
そしてこのように記録装置１とビデオカメラ９０を接続してシステム利用できることで、本例の記録装置１は、例えばユーザーがビデオカメラ９０を用いて撮像を行い、テープメディアに記録したパーソナル映像を、簡易にＤＶＤメディアにダビング記録できる装置として提供されることになる。
【００１７】
また、これら記録装置１とビデオカメラ９０との２者による動作以外にも、図示するパーソナルコンピュータ９１を含めて、該パーソナルコンピュータ９１側のユーザインタフェースを利用しての記録動作を行うこともできる。
つまりこの場合は、パーソナルコンピュータ９１側に対して、予め記録装置１とビデオカメラ９０との間での記録動作に係るアプリケーションをインストールしておくようにされる。そしてユーザは、ビデオカメラ９０・記録装置１・パーソナルコンピュータ９１の３者が接続され、且つこのアプリケーションが起動された状態で、パーソナルコンピュータ９１の操作部を介した操作入力を行って、記録装置１に対する記録動作の開始／終了等の動作指示を行うことができる。さらには、パーソナルコンピュータ９１側の画面上にビデオカメラ９０から再生されるデータを表示させ、その画面を参照しながら編集作業を行うといったこと等も可能とされる。
【００１８】
また、記録装置１としては、パーソナルコンピュータ９１の外付けのドライブ装置としても機能することが可能とされる。
つまり、記録装置１としては、接続されたパーソナルコンピュータ９１側からの指示に応じて、該パーソナルコンピュータ９１側から転送されるデータを装填されたＤＶＤメディアに対して記録したり、装填されたＤＶＤメディアからデータを再生してこれをパーソナルコンピュータ９１側に転送するといった動作も行うようにされる。
【００１９】
本実施の形態としては、このような記録システムにおいて、特に記録装置１とビデオカメラ９０との２者間のみで行われる記録動作に関して述べる。
【００２０】
図２は、実施の形態の記録装置１の内部構成についてのブロック図を示している。
先ず、コントローラ１７は、ＣＰＵ（Central Processing Unit）、ＲＯＭ（Read Only Memory）、ＲＡＭ（Randam Access Memory）等を備えたマイクロコンピュータによって構成され、起動されたプログラムに基づいて記録装置１の全体制御を行う。
なお、コントローラ１７は、図示する内部バス２７を介して各部との間で制御信号やデータのやりとりを行う。
【００２１】
このコントローラ１７は操作部１８による操作入力を監視し、操作入力に応じて所要の処理を行う。
操作部１８は、先に図１において述べたユーザＩ／Ｆ部３内として記録装置１に備えられる操作ボタン等による入力デバイスであって、ユーザが各種操作入力やデータ入力を行う。操作部１８で入力された情報はコントローラ１７に対して操作又はデータの入力として伝達される。コントローラ１７は入力された情報に対応して必要な演算や制御を行う。
【００２２】
また、コントローラ１７は、同じくユーザーＩ／Ｆ部３において設けられる表示部１９の表示制御を行う。
表示部１９は、例えば液晶パネル等の表示デバイスを備えて、ユーザに対して各種情報表示を行う。例えば、コントローラ１７が各種動作状態や入力状態、通信状態に応じて表示データを表示部１９に供給すると、表示部１９は供給された表示データに基づいた情報表示を行う。
【００２３】
そして、記録装置１に対しては、ＡＶ信号の入力系として、図示するようにアナログオーディオ入力端子１０、アナログビデオ入力端子１１、デジタル入力端子１２を備えている。
アナログオーディオ入力端子１０に入力されたアナログオーディオ信号は、オーディオＡＤコンバータ１３にてデジタルオーディオ信号に変換され、ＤＶＤエンコーダ１６に入力される。また、アナログビデオ入力端子１１にて入力されたＮＴＳＣ方式、或いはＰＡＬ方式によるアナログビデオ信号は、ＮＴＳＣ／ＰＡＬデコーダ１４にて然るべき方式によるデジタルビデオ信号にデコードされた後、ＤＶＤエンコーダ１６に入力される。
また、デジタル入力端子１２を介しては、デジタルＡＶストリームデータが入力される。この場合、ＡＶストリームデータについてのインタフェースとしては、ＩＥＥＥ１３９４インタフェースが採用され、デジタル入力端子１２に入力されたＡＶストリームデータは１３９４インタフェース（Ｉ／Ｆ）１５を介してＤＶＤエンコーダ１６に入力される。
【００２４】
ＤＶＤエンコーダ１６は、上記したオーディオＡＤコンバータ１３とＮＴＳＣ／ＰＡＬデコーダ１４とから供給されるデジタルビデオデータ・デジタルオーディオデータ、及び１３９４Ｉ／Ｆ１５から供給されるＡＶストリームデータについて、ＭＰＥＧ方式による圧縮処理を施すと共に、これにより得られたデータに対して所要のエンコード処理を行うことでＤＶＤ−ｖｉｄｅｏフォーマットによるデジタルＡＶデータを得る。
また、この場合のＤＶＤエンコーダ１６では、コントローラ１７からの指示に基づき、生成されたＡＶデータについてのタイトル分け、及びチャプタリング等のＤＶＤオーサリング処理も行うようにされる。
さらには、生成されたＡＶデータについての誤り訂正符号付加処理やランレングスリミテッドコードへの変換等の各種エンコード処理も行うものとされる。
ＳＤＲＡＭ１７は、これらＤＶＤエンコーダ１６にて行われるエンコード処理のためのデータのバッファリングやワーク領域として利用される。
【００２５】
ＤＶＤドライブ２０は、光学ヘッド、スピンドルモータ、記録再生信号処理部、サーボ回路等を備え、装填されたＤＶＤメディアに対しての記録再生を行う。
記録時には、バス２７を介して記録データがＤＶＤエンコーダ１６から供給され、これを記録するようにされる。
再生時には、コントローラ１７の指示に基づいてＤＶＤメディアに記録されたデータを再生し、これをバス２７に送出する。
【００２６】
ＤＶＤデコーダ２１は、例えば接続されたパーソナルコンピュータ９１において再生データをモニタリングするためのデコーダであり、ＤＶＤドライブ２０でＤＶＤメディアから再生されたＤＶＤフォーマットの再生データのデコード処理や、ＭＰＥＧデコード処理等を行ってデジタルビデオデータとデジタルオーディオデータとを得る。
フラッシュメモリ２２とＳＤＲＡＭ２３とは、このようなＤＶＤデコーダ２１によるデコード処理に利用される。
【００２７】
ＵＳＢコントローラ２４は、ＵＳＢインタフェース２５を介して接続された外部機器、特に図１に示したパーソナルコンピュータ９１との間で各種のデータ通信を行うために備えられる。
このＵＳＢコントローラ２４は、コントローラ１７の制御に基づいて送信データのエンコード処理、受信データのデコード処理を行う。
ＵＳＢインタフェース２５は、ＵＳＢコントローラ２４でエンコードされた送信データを、ＵＳＢケーブルを介して外部機器に送信する。またＵＳＢケーブルを介して外部機器から送信されてきた信号をＵＳＢコントローラ２４に受け渡す。
ＵＳＢコントローラ２４は受信した情報をコントローラ１７に転送する。
例えば、ＤＶＤドライブ２０からの再生時においては、ＤＶＤデコーダ２１にて得られた上記ジタルビデオデータとデジタルオーディオデータとがＵＳＢコントローラ２４に供給される。そして、これらのデータがＵＳＢインタフェース２５からＵＳＢケーブルを介して外部の例えばパーソナルコンピュータ９１側に転送される。
これによりパーソナルコンピュータ９１側の画面上に、記録装置１にて再生されるデータを表示したりオーディオ出力を行うことができる。
【００２８】
図３は、記録装置１が備えるユーザＩ／Ｆ部３の具体的な構成例を示している。
図示するように、ユーザＩ／Ｆ部３としては、先の図２にて説明した操作部１８を形成する各種の操作ボタンと、表示部１９とから成るようにされている。
【００２９】
ここで、先ずはユーザＩ／Ｆ部３を形成する表示部１９にて表示可能な内容について、次の図４を参照して説明しておく。
図４において、この場合の表示部１９においては、図示するように入力選択表示部４１、シンクロナイズド記録モード表示部４２、ビデオ入力状態表示部４３、記録モード表示部４４、ステータス／ワーニング表示部４５、時間表示部４６が設けられている。
入力選択表示部４１は、ビデオ信号の入力の選択状態を示す情報を表示する領域とされる。つまり、記録装置１に対し、例えばアナログビデオ入力端子１１としてのＳ−ＶＩＤＥＯ端子からのビデオ信号の入力が選択されている場合は、該入力選択表示部４１においては「Ｓ−ＶＩＤＥＯ」の表示が行われる。また、アナログビデオ入力端子１１としてのライン入力端子からのビデオ信号の入力が選択されている場合は、入力選択表示部４１において「ＶＩＤＥＯ」の表示が行われる。
また、デジタル入力端子１２からのデジタルＡＶストリームデータの入力が選択されている場合に対応しては、「ＤＶ」の表示が行われる。
【００３０】
シンクロナイズド記録モード表示部４２は、シンクロナイズド記録モードの設定の有無を示す情報を表示する領域とされる。
ここで、実施の形態の記録装置１においては、１３９４Ｉ／Ｆ１５を介してビデオカメラ９０が接続される場合に、記録装置１に対するＲＥＣ操作に連動してビデオカメラ９０の再生を開始させたり、また、記録装置１に対するＲＥＣの停止操作に連動してビデオカメラ９０の再生を停止させるといったシンクロナイズド記録動作を行うことが可能とされている。
このシンクロナイズド記録モードがオンに設定される場合は、シンクロナイズド記録モード表示部４２にて「ＳＹＮＣ」が表示される。またオフに設定される場合は例えば「ＳＹＮＣ ｏｆｆ」が表示される。
【００３１】
ビデオ入力状態表示部４３は、記録装置１において外部からの入力信号が検出される場合に図示されるように「ＳＩＧ」の表示が行われる。また、外部からの入力信号が喪失した場合はこの「ＳＩＧ」が表示されないものとなる。
また、記録モード表示部４４は、記録モード（記録ビットレート）の設定状態を表示する。この場合は、記録ビットレートが高い順にハイクオリティ（ＨＱ）、スタンダード（ＳＰ）、ロング（ＳＬＰ）の記録モードが用意されている。例えば、ここでは設定された記録モードの名称のみを表示することで設定状態を表すものとしている。
【００３２】
ステータス／ワーニング表示部４５は、記録装置１の動作状態や各種機能の設定・選択状態、或いはユーザに対する警告メッセージ等の表示が行われる領域として設けられる。
また、時間表示部４６は、記録再生についての時間情報が表示される。例えばこの場合は、図のように時（Ｈ）分（Ｍ）秒（Ｓ）までの表示を行う例が示されている。
なお、この図に示される例では、時間表示部４６の領域が、ステータス／ワーニング表示部４５としての内容を表示可能な領域として割り当てられる場合が示されているが、それぞれの領域はそれぞれの表示内容のみを表示するものとしてもよい。
【００３３】
続いて、図３に戻り、操作部１８を形成する各種の操作ボタンについて説明する。
この場合、操作ボタンとしては、図示するようにＴＩＭＥボタン３１、ＳＹＮＣボタン３２、ＲＥＣ−ＭＯＤＥボタン３３、ＩＮＰＵＴ−ＳＥＬＥＣＴボタン３４、ＦＵＮＣＴＩＯＮボタン３５、ＳＥＬＥＣＴボタン３６、ＲＥＣボタン３７、ＰＡＵＳＥボタン３８、ＳＴＯＰボタン３９が設けられている。
【００３４】
先ず、ＴＩＭＥボタン３１は、先の図４に示した時間表示部４６における表示内容を切り替えるために設けられる。例えばこの場合、ＴＩＭＥボタン３１の押圧操作ごとに時間表示部４６における表示内容が経過時間／残り時間の表示に切り替えられる。
また、ＳＹＮＣボタン３２は、先に説明したシンクロナイズド記録のオン／オフを切り替えるために設けられる。
また、ＲＥＣ−ＭＯＤＥボタン３３は、先に説明した「ＨＱ」「ＳＰ」「ＳＬＰ」の各記録モードを選択するために設けられ、例えばその押圧ごとに「ＨＱ」「ＳＰ」「ＳＬＰ」の選択状態を切り替えることができる。
【００３５】
ＩＮＰＵＴ−ＳＥＬＥＣＴボタン３４は、外部信号入力を行う入力端子を選択するために設けられる。例えばこの場合、アナログビデオ信号入力端子とデジタル入力端子とＳ−ＶＩＤＥＯ端子の切り替えを行うことができる。
また、ＦＵＮＣＴＩＯＮボタン３５は、「Ｆｉｎａｌｉｚｅ」「Ｅｒａｓｅ ＡＬＬ」「Ａｕｔｏ Ｐｌａｙ」「Ａｕｔｏ Ｃｈａｐｔｅｒｉｎｇ」「Ｂｏｏｋ ｔｙｐｅ」の各機能の設定を行うために設けられる。このＦＵＮＣＴＩＯＮボタン３５の押圧ごとに、表示部１９におけるステータス／ワーニング表示部４５上にはこれらの各機能の名称と「ｙｅｓ／ｎｏ」を選択するための表示が行われる。
そして、このように機能の名称と共に表示される「ｙｅｓ／ｎｏ」の選択は、図示するＳＥＬＥＣＴボタン３６により行うことができる。すなわちユーザは、ＦＵＮＣＴＩＯＮボタン３５により機能を選択した上で、ＳＥＬＥＣＴボタン３６によってそのｙｅｓ／ｎｏを選択入力することで所望の機能の実行を記録装置１に対して指示することができる。
【００３６】
また、ＲＥＣボタン３７は、記録動作の開始を指示するためのボタンである。ＰＡＵＳＥボタン３８は、記録・再生動作の一時停止を指示するためのボタンである。また、ＳＴＯＰボタン３９は、記録・再生動作の停止を指示するボタンである。
また、図示するインジケータ４０は、記録装置１のパワー状態や装填されたディスクへのアクセス状態を示すインジケータとして機能する。
【００３７】
ここで、実施の形態の記録装置１としては、これまでに説明したように外部入力端子を介して接続された映像機器から再生されるＡＶ信号を、装填されたＤＶＤメディアに記録することが可能とされている。
【００３８】
また、このような実施の形態の記録装置１では、従来で行われているように、ＡＶ信号の記録時、少なくとも記録動作が停止されることに応じて、自動的にタイトルと呼ばれる区切りを付加する動作を行うようにされている。
つまり、ＡＶ信号の記録後、当該記録動作によって記録された一連のＡＶ信号が１つのタイトルを形成するコンテンツデータとして認識されるように、当該ＤＶＤメディアの管理情報の内容を更新するものである。
【００３９】
ところで、外部から入力されるＡＶ信号について記録を行う際、先にも述べたように従来では、外部からの入力信号が喪失した場合に、ＤＶＤの記憶容量の浪費や機器の消費電力の浪費防止などの目的から、記録動作を自動的に停止する動作を行うようにされている。
【００４０】
但し、この際、入力信号の喪失は、一度外部の映像機器によるＡＶ信号の再生を中断して、その後他のＡＶ信号を追加記録する間に発生したものであることも考えられる。そして、このときユーザは、追加記録するＡＶ信号をそれまで記録していたＡＶ信号と同一のタイトルのコンテンツとして記録しようと意図していることも考えられる。
この場合において、信号喪失に応じて記録動作が自動的に停止されて、上述のようにしてこの記録動作の停止に応じてタイトル分けが行われてしまうことによっては、ユーザの意図しない編集が行われてしまうことになる。
【００４１】
また、この場合、信号喪失は、例えばプラグ抜けや接触不良等の事故に依るものである可能性もあり、これによって記録動作が自動的に停止された場合としても、記録動作により記録されるべき一連のＡＶ信号の途中でタイトル分けが行われてしまうという点で、ユーザの意図しない編集が行われてしまうということになる。
【００４２】
そこで実施の形態では、ＡＶ信号の記録動作中における信号喪失に応じて、先ずは記録動作をポーズ状態（一時停止状態）とするようにしている。
そして、このように記録動作をポーズ状態とした後、所定時間以内に入力信号が検出されない場合に応じて、記録動作を停止するものとしている。
【００４３】
このようにして、信号喪失に応じて記録動作を停止ではなくポーズ状態とするようにしたことで、従来のように信号喪失に伴い意図しないタイトル分けが行われてしまうことを防止できる。すなわち、ＡＶ信号の編集についての誤動作を防止できる。
【００４４】
また、このように信号喪失に応じて記録動作が一時停止されれば、ＤＶＤメディアの記憶容量の浪費を効果的に防止できる。
また、一時停止であれば、その後にＡＶ信号を追加記録するといった際にも、停止状態とされた場合より早急に記録動作を再開できる。
【００４５】
さらに、上記のようにして入力信号の喪失後、所定時間以内に入力信号が再検出されない場合に応じては記録動作が停止されるので、入力信号喪失時に記録動作が継続されることに伴う装置の無駄な消費電力を削減するという効果は、従来と同様に得ることができる。
【００４６】
これらのことから、実施の形態によれば、従来で問題となっていた信号喪失に伴うＡＶ信号の編集についての誤動作の防止を図りつつ、一方ではＤＶＤメディアの記憶容量及び装置の消費電力の浪費を効果的に防止するという従来と同様の効果を得ることができる。
【００４７】
また、さらに実施の形態では、上記動作と共に、記録動作中において以下のような動作も行うものとしている。
すなわち、記録動作中においてＰＡＵＳＥボタン３８の押圧等、記録動作をポーズ状態とすべき状態とされたときに、記録動作を一時停止とすると共に、その後の所定時間以内に入力信号が検出されない場合に限り、記録動作を停止するというものである。
【００４８】
ここで、例えば記録動作中にＰＡＵＳＥボタン３８が押圧操作される場合としては、これまで記録されていたＡＶ信号についての継続的な記録を一旦中断し、その続きとして別のＡＶ信号を繋げて記録するといったこと等が考えられる。
そして、このように再度の記録が行われる場合では、少なくとも当該記録装置１に対しては外部からの信号入力が行われることになる。
但し、逆に、ＰＡＵＳＥボタン３８の押圧後、所定時間にわたって外部からの入力信号が検出されない場合としては、上記のように記録動作が再開されるという可能性は非常に低いものと見ることができる。つまり、この場合は記録動作の再開はないものとみなすことができる。
そこで実施の形態では、上記のようにしてＰＡＵＳＥボタン３８の押圧後の所定時間以内に入力信号が検出されない場合に限り、記録動作を停止するものとし、このように記録動作の再開がないとみなされる場合には無駄な待機状態が解消されるようにしている。
すなわち、これによって、単にＰＡＵＳＥボタン３８が押圧されて放置されている状態を解消することができ、装置の消費電力の浪費を防止することができるものである。
【００４９】
なお、確認のために述べておくと、一時停止状態（ポーズ状態）では、停止状態とは異なり、図２に示したＤＶＤエンコーダ１６の内部クロック等が動作を継続している状態となる。このため、上記のように一時停止で放置される状態から停止とすることで消費電力の浪費が防止されるものである。
【００５０】
続いては、上記説明による実施の形態としての動作を実現するための処理動作を、図５に示されるフローチャートを参照して説明する。
なお、図５に示される処理動作は、図２に示したコントローラ１７が例えば内蔵するＲＯＭ等に格納されるプログラムに基づいて実行するものである。
図５において、先ずステップＳ１０１では、図３に示したＲＥＣボタン３７の押圧操作に応じる等して、記録動作を開始する。
【００５１】
そして、ステップＳ１０２においては、入力信号が喪失したか否かについて判別処理を行う。ステップＳ１０２において、各入力端子のうちから選択入力され、ＤＶＤメディアに対して記録されている入力信号が喪失してはいないとして、否定結果が得られた場合は、図示するようにステップＳ１０６に処理を進めて、ＰＡＵＳＥボタン３８に対する押圧操作が行われたか否かについての判別処理を実行するようにされる。
ステップＳ１０６において、ＰＡＵＳＥボタン３８に対する押圧操作が行われていないとして否定結果が得られた場合は、先のステップＳ１０２に戻り、再び入力信号が喪失したか否かについての判別を行うようにされる。
このようなステップＳ１０２→Ｓ１０６→Ｓ１０２によるループにより、ステップＳ１０１にて開始された記録動作中における入力信号の喪失と、ＰＡＵＳＥボタン３８の押圧操作の何れかを待機するようにされている。
【００５２】
そして、ステップＳ１０２において、入力信号が喪失したとして肯定結果が得られた場合は、ステップＳ１０３において、先ずは表示部１９の表示内容として「ＳＩＧ」をオフとし、さらに「ＰＡＵＳＥ」の表示を行うようにされる。
つまり、このステップＳ１０３においては、先の図４に示した表示部１９の表示内容として、ビデオ入力状態表示部４３における「ＳＩＧ」の表示をオフとすると共に、ステータス／ワーニング表示部４５においてＰＡＵＳＥ状態を表す「ＰＡＵＳＥ」の表示が行われるように表示制御処理を行うようにされる。
【００５３】
続くステップＳ１０４では、記録動作を一時停止する（ポーズ状態とする）ための処理を実行する。すなわち、図２に示したＤＶＤドライブ２０に対し、装填されたＤＶＤメディアに対する記録動作が一時停止状態となるように制御を行う。
これにより、入力信号の喪失に応じては、記録動作が停止ではなく一時停止されるものとなり、この時点でのタイトル分けは行われない。また、ＤＶＤメディアに対して無信号部分が記録されるといった事態の防止も図られる。さらには、一時停止であるので、記録動作が再開される場合にも記録動作の開始に要する時間を短縮化できる。
【００５４】
さらに、ステップＳ１０５においては、所定時間以内に入力信号が検出されたか否かについての判別処理を行うようにされる。すなわち、ステップＳ１０４にて記録動作が一次停止された時点から所定時間以内に、入力信号が再検出されたか否かについて判別するものである。
ステップＳ１０５において、所定時間以内に入力信号が検出されたとして肯定結果が得られた場合は、図示するようにステップＳ１０１に戻り、記録動作を開始するための処理を実行する。
このようにして、入力信号喪失後、再度入力信号が検出される場合には、上記した一連の処理動作により一時停止→記録開始となる。すなわち、このことによっても、実施の形態では信号喪失に応じた自動停止によるタイトル分けは行われないことが理解できる。
【００５５】
また、ステップＳ１０５において、所定時間以内に入力信号が検出されず否定結果が得られた場合は、ステップＳ１１１に処理を進めて、記録動作を停止するための処理を実行する。
上述もしたように、所定時間以内に入力信号が再検出されない場合としては、その後に続けて記録動作が行われないとみなすことができる。
このことから、これに応じて記録動作が停止されることによっては、無駄な待機状態を解消して、装置の消費電力を削減することができる。
なお、ステップＳ１０５にて設定される所定時間としては、例えば２分程度を設定するものとしている。
【００５６】
続いて、先のステップＳ１０６において、ＰＡＵＳＥボタン３８が押圧操作されたとして肯定結果が得られた場合には、ステップＳ１０７において、先ずは表示部１９において「ＰＡＵＳＥ」の表示を行うための処理を実行する。つまり、先のステップＳ１０３の処理と同様に、ステータス／ワーニング表示部４５において「ＰＡＵＳＥ」の表示が行われるように表示制御を行う。
そして、ステップＳ１０８において、先のステップＳ１０４と同様の処理を行って記録動作を一時停止する（ポーズ状態とする）ようにされる。
【００５７】
続くステップＳ１０９では、例えば再度のＰＡＵＳＥボタン３８の押圧操作の有無を判別することによって、ポーズ状態を解除すべき状態となったか否かについて判別処理を行う。ポーズ状態を解除すべき状態にはなっていないとして否定結果が得られた場合は、ステップＳ１１０に進んで入力信号が検出されない時間が所定時間以上となったか否かについての判別処理を行うようにされる。つまり、先のステップＳ１０８にて記録動作が一時停止されてから、入力信号が検出されない時間長が所定時間以上となったか否かについて判別を行う。
ステップＳ１１０において、入力信号が検出されない時間が所定時間以上となっていないとして否定結果が得られた場合は、ステップＳ１０９に戻り、再度ポーズ状態を解除すべき状態となったか否かについての判別処理を行うようにされる。
つまり、これらステップＳ１０９→Ｓ１１０→Ｓ１０９によるループによって、ポーズ状態を解除すべき状態となることと、入力信号が検出されない時間が所定時間以上となることの何れかを待機するようにされる。
【００５８】
上記ステップＳ１０９において、ポーズ状態を解除すべき状態となったとして肯定結果が得られた場合は、ステップＳ１０１に戻って記録動作を開始するようにされる。
【００５９】
そして、上記ステップＳ１１０において、入力信号が検出されない時間が所定時間以上となったとして肯定結果が得られた場合は、ステップＳ１１１に処理を進めて記録動作を停止するための処理を実行するようにされる。
これによって、ＰＡＵＳＥボタン３８が押圧されて記録動作が一時停止状態とされた場合に、入力信号が所定時間以上検出されずに記録動作が再開されないとみなされる場合は、記録動作が停止されて無駄な待機状態を解消することができる。そして、このように無駄な待機状態を解消できることで、装置消費電力の浪費の防止が図られる。
【００６０】
なお、ステップＳ１１０にて設定される所定時間としては、この場合は１０分程度を設定するものとしている。
これは、記録動作中にポーズが指示される場合としては、ユーザがさらにＡＶ信号を追加記録する可能性がより高いことから、その準備期間等を考慮した比較的長い時間を設定するようにしているものである。
【００６１】
ここで、本発明としては、これまでに説明した実施の形態に限定されるものではない。
例えば、図３，図４にて示したユーザＩ／Ｆ部３の構成はあくまで一例を示したものに過ぎず、備えられる操作ボタンや表示内容の種類は適宜変更されてよい。
また、実施の形態では、記録装置１が記録可能な信号がビデオ信号を含む場合を例示したが、オーディオ信号のみとされる場合も本発明は好適に適用できる。
つまり、本発明で言うＡＶ信号とは、オーディオ信号及び／又はビデオ信号を指すものであるとする。
例えば、オーディオ信号のみとされる場合においても、記録動作の停止に応じては自動的に所要の区切りを付加する記録装置が存在するが、この場合もユーザの意図しない部分で区切りが設けられてしまうことは編集についての誤動作であることに変わりはない。つまり、この場合においても実施の形態のように入力信号の喪失に応じて停止ではなくポーズ状態とすることによって、編集についての誤動作の防止が図られるものである。
また、この場合もポーズ後の所定時間内に入力信号が検出されない場合に記録動作を停止することで、同様に記録媒体の記憶容量や装置の消費電力の浪費の防止が図られるものとなる。
【００６２】
また、実施の形態では、記録媒体としてＤＶＤに対応する構成を例示したが、ＣＤ（Compact Disc）、ＭＤ（Mini Disc：光磁気ディスク）、ブルーレイディスク等の他の記録媒体に対応する構成とすることもできる。
【図面の簡単な説明】
【００６３】
【図１】本発明における実施の形態としての記録装置を含んで構成することのできる記録システムの概要図である。
【図２】実施の形態の記録装置の内部構成を示すブロック図である。
【図３】実施の形態の記録装置が備えるユーザインタフェースとして、主に操作部の構成例について示した図である。
【図４】実施の形態の記録装置が備えるユーザインタフェースとして、特に表示部の構成例について示した図である。
【図５】実施の形態としての動作を実現するための処理動作について示したフローチャートである。
【符号の説明】
【００６４】
１  記録装置、２  ＤＶＤ装填部、３  ユーザインタフェース（Ｉ／Ｆ）部、１０  アナログオーディオ入力端子、１１  アナログビデオ入力端子、１２  デジタル入力端子、１３  オーディオＡＤコンバータ、１４  ＮＴＳＣ／ＰＡＬデコーダ、１５  １３９４インタフェース（Ｉ／Ｆ）、１６  ＤＶＤエンコーダ、１７  コントローラ、１８  操作部、１９  表示部、２０  ＤＶＤドライブ、２１  ＤＶＤデコーダ、２２  フラッシュメモリ、２３  ＳＤＲＡＭ、２４  ＵＳＢコントローラ、２５  ＵＳＢインタフェース、２６  ＳＤＲＡＭ、２７  内部バス、３１  ＴＩＭＥボタン、３２  ＳＹＮＣボタン、３３  ＲＥＣ−ＭＯＤＥボタン、３４  ＩＮＰＵＴ−ＳＥＬＥＣＴボタン、３５  ＦＵＮＣＴＩＯＮボタン、３６  ＳＥＬＥＣＴボタン、３７  ＲＥＣボタン、３８  ＰＡＵＳＥボタン、３９  ＳＴＯＰボタン、４１  入力選択表示部、４２  シンクロナイズド記録モード表示部、４３  ビデオ入力状態表示部、４４  記録モード表示部、４５  ステータス／ワーニング表示部、４６  時間表示部、９０  ビデオカメラ、９１  パーソナルコンピュータ
【図１】
2006107675.tif 000003
【図２】
2006107675.tif 000004
【図３】
2006107675.tif 000005
【図４】
2006107675.tif 000006
【図５】
2006107675.tif 000007